(57)【要約】【課題】プラズマディスプレイ装置において、発光効率の向上とパネル駆動の安定化を目的とする。【解決手段】前面側の基板に表示ラインＡ毎に放電ギャップ２４を介して対向するように配列して形成しかつ放電電極２５ａとこの放電電極２５ａに給電するためのバス電極２５ｂとからなる複数の表示電極２６と、この表示電極２６を覆うように形成した誘電体層と、前記表示電極２６間での放電により発光する蛍光体層とを有し、前記誘電体層の放電空間側の前記放電セル毎の表面に少なくとも１つの凹部２７ａを形成し、かつ前記表示電極２６の放電電極２５ａを、前記凹部２７ａの底面において放電ギャップ２４を介して対向するようにバス電極２５ｂから垂直に放電ギャップ２４に向けて突出させて形成した。【選択図】　図３
2004006307.tif 000002
【特許請求の範囲】
【請求項１】
基板間に隔壁により仕切られた放電空間が形成されるように対向配置した一対の前面側および背面側の基板と、前記隔壁間に放電セルが形成されるように前記前面側の基板に表示ライン毎に放電ギャップを介して対向するように配列して形成しかつ放電電極とこの放電電極に給電するためのバス電極とからなる複数の表示電極と、この表示電極を覆うように前面側の基板に形成した誘電体層と、前記表示電極間での放電により発光する蛍光体層とを有し、前記誘電体層の放電空間側の前記放電セル毎の表面に少なくとも１つの凹部を形成し、かつ前記表示電極の放電電極を、前記凹部の底面において放電ギャップを介して対向するようにバス電極から垂直に放電ギャップに向けて突出させて形成したことを特徴とするプラズマディスプレイ装置。
【請求項２】
放電電極は、凹部の底面において放電ギャップを介して対向する部分の幅が、凹部の幅と同等、または凹部の幅よりも狭く構成したことを特徴とする請求項１に記載のプラズマディスプレイ装置。
【請求項３】
放電電極は、凹部の底面において放電ギャップを介して対向する部分が、複数に分割された形状であることを特徴とする請求項１に記載のプラズマディスプレイ装置。
【請求項４】
放電電極は、凹部の底面において放電ギャップを介して対向する部分が、中空形状であることを特徴とする請求項１に記載のプラズマディスプレイ装置。
【請求項５】
放電電極は、透明電極であることを特徴とする請求項１から４のいずれかに記載のプラズマディスプレイ装置。
【請求項６】
放電空間に封入する放電ガスは、Ｘｅと、Ｎｅおよび／またはＨｅとを含む混合ガスで、Ｘｅ分圧が５〜３０％であることを特徴とする請求項１に記載のプラズマディスプレイ装置。
【発明の詳細な説明】
【０００１】
【発明の属する技術分野】
本発明は表示デバイスとして知られているプラズマディスプレイ装置に関するものである。
【０００２】
【従来の技術】
近年、双方向情報端末として大画面、壁掛けテレビへの期待が高まっている。そのための表示デバイスとして、液晶表示パネル、フィールドエミッションディスプレイ、エレクトロルミネッセンスディスプレイ等の数多くのものがあり、そのうちの一部は市販され、一部は開発中である。これらの表示デバイスの中でもプラズマディスプレイパネル（以下、ＰＤＰという）は、自発光型で美しい画像表示ができ、大画面化が容易である等の理由から、ＰＤＰを用いたディスプレイは、視認性に優れた薄型表示デバイスとして注目されており、高精細化および大画面化が進められている。
【０００３】
このＰＤＰには、大別して、駆動的にはＡＣ型とＤＣ型があり、放電形式では面放電型と対向放電型の２種類があるが、高精細化、大画面化および製造の簡便性から、現状では、ＡＣ型で面放電型のＰＤＰが主流を占めるようになってきている。
【０００４】
図２０はＰＤＰのパネル構造の一例を示しており、この図２０に示すようにＰＤＰは、前面パネル１と背面パネル２とから構成されている。
【０００５】
前面パネル１は、フロート法による硼珪素ナトリウム系ガラス等からなるガラス基板などの透明な前面側の基板３上に、走査電極４と維持電極５とで対をなすストライプ状の表示電極６を複数対配列して形成し、そしてその表示電極６群を覆うように誘電体層７を形成し、その誘電体層７上にＭｇＯからなる保護膜８を形成することにより構成されている。なお、走査電極４および維持電極５は、それぞれ放電電極となる透明電極４ａ、５ａおよびこの透明電極４ａ、５ａに電気的に接続されたＣｒ／Ｃｕ／ＣｒまたはＡｇ等からなるバス電極４ｂ、５ｂとから構成されている。
【０００６】
また、背面パネル２は、前記前面側の基板３に対向配置される背面側の基板９上に、表示電極６と直交する方向にアドレス電極１０を形成するとともに、そのアドレス電極１０を覆うように誘電体層１１を形成し、そしてアドレス電極１０間の誘電体層１１上にアドレス電極１０と平行にストライプ状の複数の隔壁１２を形成するとともに、この隔壁１２間の側面および誘電体層１１の表面に蛍光体層１３を形成することにより構成されている。なお、カラー表示のために前記蛍光体層１３は、通常、赤、緑、青の３色が順に配置されている。
【０００７】
そして、これらの前面パネル１と背面パネル２とは、表示電極６とアドレス電極１０とが直交するように、微小な放電空間を挟んで基板３、９を対向配置するとともに、周囲を封着部材により封止し、そして前記放電空間にＮｅ及びＸｅなどを混合してなる放電ガスを６６５００Ｐａ（５００Ｔｏｒｒ）程度の圧力で封入することによりパネルが構成されている。
【０００８】
このパネルの放電空間は、隔壁１２によって複数の区画に仕切られており、そしてこの隔壁１２間に単位発光領域となる複数の放電セルが形成されるように表示電極６が設けられるとともに、表示電極６とアドレス電極１０とが直交して配置されている。
【０００９】
このＰＤＰでは、アドレス電極１０、表示電極６に印加される周期的な電圧によって放電を発生させ、この放電による紫外線を蛍光体層１３に照射して可視光に変換させることにより、画像表示を行う。
【００１０】
走査電極４と維持電極５は、図２１に示すようにマトリクス表示の各ラインＡにおいて放電ギャップ１４を挟んで隣接するように列方向に交互に配列されている。ここで、隔壁１２と一対の走査電極４と維持電極５で囲まれた領域が単位発光領域である放電セル１５となる。また、非発光領域１６には、コントラストを向上させる目的でブラックストライプを形成することもある。
【００１１】
このＰＤＰの発展のためには、更なる高輝度化、高効率化、低消費電力化、低コスト化が不可欠となっている。ＰＤＰの高効率化を達成するためには、各発光画素領域において放電を制御することが不可欠である。特に、表示電極６に垂直な放電の広がりにおいては、バス電極４ｂ、５ｂが蛍光体からの発光光を遮るため、遮蔽される部分まで放電が広がることを抑制することが有効である。
【００１２】
この効率向上の手法の一つとして、例えば特許文献１に記載されているように、バス電極４ｂ、５ｂ上の誘電体層７の膜厚を厚くしてバス電極４ｂ、５ｂで遮蔽される部分の放電を抑制する方法が知られている。
【００１３】
【特許文献１】
特開平８−２５００２９号公報
【００１４】
【発明が解決しようとする課題】
しかし、上述の従来の構造では、表示電極に対して垂直な方向の放電は抑制されるが、表示電極と平行方向の放電は抑制されず、隔壁近傍まで放電が広がる。この場合は、隔壁により電子温度の低下や、電子とイオンの再結合が発生するため効率が低下する恐れがある。
【００１５】
本発明はこのような課題を解決するためになされたもので、発光効率の向上とパネル駆動の安定化を目的とする。
【００１６】
【課題を解決するための手段】
この目的を達成するために本発明のプラズマディスプレイ装置は、基板間に隔壁により仕切られた放電空間が形成されるように対向配置した一対の前面側および背面側の基板と、前記隔壁間に放電セルが形成されるように前記前面側の基板に表示ライン毎に放電ギャップを介して対向するように配列して形成しかつ放電電極とこの放電電極に給電するためのバス電極とからなる複数の表示電極と、この表示電極を覆うように前面側の基板に形成した誘電体層と、前記表示電極間での放電により発光する蛍光体層とを有し、前記誘電体層の放電空間側の前記放電セル毎の表面に少なくとも１つの凹部を形成し、かつ前記表示電極の放電電極を、前記凹部の底面において放電ギャップを介して対向するようにバス電極から垂直に放電ギャップに向けて突出させて形成したことを特徴とするものである。
【００１７】
【発明の実施の形態】
すなわち、本発明の請求項１に記載の発明は、基板間に隔壁により仕切られた放電空間が形成されるように対向配置した一対の前面側および背面側の基板と、前記隔壁間に放電セルが形成されるように前記前面側の基板に表示ライン毎に放電ギャップを介して対向するように配列して形成しかつ放電電極とこの放電電極に給電するためのバス電極とからなる複数の表示電極と、この表示電極を覆うように前面側の基板に形成した誘電体層と、前記表示電極間での放電により発光する蛍光体層とを有し、前記誘電体層の放電空間側の前記放電セル毎の表面に少なくとも１つの凹部を形成し、かつ前記表示電極の放電電極を、前記凹部の底面において放電ギャップを介して対向するようにバス電極から垂直に放電ギャップに向けて突出させて形成したことを特徴とするプラズマディスプレイ装置である。
【００１８】
また、請求項２に記載の発明は、請求項１に記載の発明において、放電電極は、凹部の底面において放電ギャップを介して対向する部分の幅が、凹部の幅と同等、または凹部の幅よりも狭く構成したことを特徴とするものである。
【００１９】
また、請求項３に記載の発明は、請求項１に記載の発明において、放電電極は、凹部の底面において放電ギャップを介して対向する部分が、複数に分割された形状であることを特徴とするものである。
【００２０】
また、請求項４に記載の発明は、請求項１に記載の発明において、放電電極は、凹部の底面において放電ギャップを介して対向する部分が、中空形状であることを特徴とするものである。
【００２１】
また、請求項５に記載の発明は、請求項１から４のいずれかに記載の発明において、放電電極は、透明電極であることを特徴とするものである。
【００２２】
また、請求項６に記載の発明は、請求項１に記載の発明において、放電空間に封入する放電ガスは、Ｘｅと、Ｎｅおよび／またはＨｅとを含む混合ガスで、Ｘｅ分圧が５〜３０％であることを特徴とするものである。
【００２３】
以下、本発明の一実施の形態によるプラズマディスプレイ装置について、図面を用いて説明する。
【００２４】
（実施の形態１）
図１は、本発明の実施の形態１によるプラズマディスプレイ装置に用いるＰＤＰのパネル構造の一例を示す断面斜視図である。図１に示すようにＰＤＰは、前面パネル２１と背面パネル２２とから構成されている。
【００２５】
前面パネル２１は、例えばフロート法による硼珪素ナトリウム系ガラス等からなるガラス基板などの透明な前面側の基板２３上に、放電ギャップ２４を介して対向するように配列して形成した放電電極２５ａとこの放電電極２５ａに給電するために電気的に接続されたバス電極２５ｂとからなる複数の表示電極２６と、この表示電極２６を覆うように形成した誘電体層２７と、その誘電体層２７上に形成したＭｇＯからなる保護層２８とにより構成されている。
【００２６】
また、背面パネル２２は、前記前面側の基板２３に対向配置される背面側の基板２９上に、表示電極２６と直交する方向にアドレス電極３０を形成するとともに、そのアドレス電極３０を覆うように誘電体層３１を形成し、そしてアドレス電極３０間の誘電体層３１上にアドレス電極３０と平行にストライプ状の複数の隔壁３２を形成するとともに、この隔壁３２間の側面および誘電体層３１の表面に蛍光体層３３を形成することにより構成されている。なお、カラー表示のために前記蛍光体層３３は、通常、赤、緑、青の３色が順に配置されている。
【００２７】
そして、これらの前面パネル２１と背面パネル２２とは、表示電極２６とアドレス電極３０とが直交するように、微小な放電空間を挟んで基板２３、２９を対向配置するとともに、周囲を封着部材により封止し、そして前記放電空間にＸｅとＮｅおよび／またはＨｅなどとを混合してなる放電ガスを６６５００Ｐａ（５００Ｔｏｒｒ）程度の圧力で封入することによりパネルを構成している。
【００２８】
このパネルの放電空間は、隔壁３２によって複数の区画に仕切られており、そしてこの隔壁３２間によって仕切られ、表示電極２６とアドレス電極３０とが直交する部分に、単位発光領域となる放電セルが形成される。
【００２９】
また、放電セル間には、コントラストを向上させる目的でブラックストライプを形成することもある。
【００３０】
そしてＰＤＰでは、アドレス電極３０、表示電極２６に印加する周期的な電圧によって放電を発生させ、この放電による紫外線を蛍光体層３３に照射して可視光に変換させることにより、画像表示を行う。
【００３１】
図２は、本発明の実施の形態１によるプラズマディスプレイ装置の前面パネルの一部の斜視図を示しており、図において、表示電極２６を覆うように前面側の基板２３上に形成した誘電体層２７の放電空間側の表面には、放電セル毎に凹部２７ａが形成されている。また、図３には、その凹部２７ａと表示電極２６および隔壁３２との位置関係を示しており、この図３に示すように、凹部２７ａは隔壁３２よりも内側に形成されている。
【００３２】
そして、表示電極２６は、表示ラインＡ毎に放電ギャップ２４を介して対向するように配列して形成した透明電極からなる放電電極２５ａと、この放電電極２５ａに給電するためのバス電極２５ｂとから構成され、表示電極２６の放電電極２５ａは、前記凹部２７ａの底面において放電ギャップ２４を介して対向するようにバス電極２５ｂから垂直に放電ギャップ２４に向けて突出させて形成している。この放電電極２５ａは、凹部２７ａの底面において放電ギャップ２４を介して対向する部分の幅が凹部２７ａの幅と同等、または凹部２７ａの幅よりも狭くなるように構成している。図３に示す例は、放電電極２５ａの放電ギャップ２４を介して対向する部分の幅を、凹部２７ａの幅よりも狭く構成した例を示したものである。
【００３３】
ここで、ＰＤＰの高効率化を達成するためには、各発光画素領域において放電を制御することが不可欠である。特に、表示電極２６に垂直な方向の放電の広がりにおいては、バス電極２５ｂが蛍光体３３からの発光光を遮ってしまい無駄となるため、遮蔽される部分にまで放電が広がらないように抑制することが有効である。
【００３４】
また、表示電極２６に対して垂直な方向の放電だけではなく、平行な方向の放電を抑制することも、効率向上には有効となる。なぜならば、放電が表示電極２６と平行な方向に広がり、隔壁３２近傍まで放電が広がってしまうと、隔壁３２付近で電子温度が低下してしまい、効率の低下を招く恐れがあるためである。
【００３５】
さらにまた、隔壁３２付近で放電を行うと隔壁３２が負に帯電することが知られており、これにより正イオンが隔壁３２にひきつけられるため、電子−イオン間の再結合の発生や、隔壁３２へのイオン爆撃により隔壁３２がエッチングされてしまい、このエッチングされた隔壁３２が蛍光体３３に降り積もる等して、特性を劣化させる恐れがある。
【００３６】
しかしながら本実施の形態においては、各放電セル毎に凹部２７ａを形成し、かつ隔壁３２よりも内側に凹部２７ａを形成しているので、放電を凹部２７ａの底面のみに制御することができ、放電が、表示電極２６に対して垂直方向に、蛍光体３３からの発光光を遮るバス電極２５ｂにまで広がることや、表示電極２６に対して平行方向に、隔壁３２近傍にまで広がることを抑制することができる。さらに、凹部２７ａの側面にもＭｇＯは形成されているため、凹部２７ａ側面でのエッチングの恐れは少ない。さらに、表示電極２６の放電電極２５ａは、前記凹部２７ａの底面において放電ギャップ２４を介して対向するようにバス電極２５ｂから垂直に放電ギャップ２４に向けて突出して形成した構成であることから、隔壁３２から放電電極２５ａは離れた構成となっており、隔壁３２近傍に電荷が蓄積されることが抑制され、隔壁３２近傍での放電を抑制する効果がさらに増すこととなる。
【００３７】
ここで、この放電電極２５ａを透明電極により作成した場合には、蛍光体３３での発光を効率よく取り出すことができる。
【００３８】
これに対して、放電電極２５ａをバス電極２５ｂと同じく不透明な金属電極で構成した場合は、低コスト化を達成することができる。但しこの場合、放電電極２５ａで蛍光体３３からの発光光が遮蔽されることとなるため、放電電極２５ａは、放電ギャップ２４は変えずにその面積を小さくすることにより、発光を取り出す効率を改善することが好ましい。そのような構成の一例として、例えば図４には、放電電極２５ａの、凹部２７ａの底面において放電ギャップ２４を介して対向する部分が複数に分割された形状を、また、図５には、放電電極２５ａの、凹部２７ａの底面において放電ギャップ２４を介して対向する部分が中空形状とした形状を示す。これらの形状は、同時に、放電電極２５ａの面積の縮小による消費電流の低減の効果が得られることができ、これは放電電極２５ａとして透明電極を用いた場合にも同様である。
【００３９】
次に、放電領域の制御に関して図６、図７を用いて説明する。図６は、実施の形態１によるプラズマディスプレイ装置において、誘電体層２７に凹部２７ａを形成した場合の効果を説明するための図を示しており、図７には従来の構造のプラズマディスプレイ装置の図を示している。図７に示す、凹部がない従来の構造では、誘電体層７の膜厚が一定であるため、容量Ｃが誘電体層７の面上で一定であり、放電Ｂは図７に示すように広がってしまい、先述したような理由により効率が低下してしまう。これに対し、図６では、凹部２７ａの底面の誘電体層２７の膜厚が低下するため、その部分の容量Ｃが大きくなる。そのため、放電のための電荷は凹部２７ａの底面に集中的に形成されることとなる。また、底面ではそれ以外の部分に比べて誘電体層２７の膜厚が薄いため、放電の開始はこの底面から発生することになる。逆にいえば、凹部２７ａの底面以外は誘電体層２７の膜厚が厚くなるため、その部分の容量が低下するため、その部分に存在する電荷は少なくなる。さらに、誘電体層２７の膜厚が厚いため放電電圧も上昇する。さらに、凹部２７ａの形状に合わせて放電電極２５ａを突出させ、隔壁３２（図３）から離すことで、隔壁３２付近に蓄積される電荷も抑制される。これらの効果により、放電Ａは、凹部２７ａの底面に制限され、効率の向上を図ることができる。また、この原理を応用することで、凹部２７ａのサイズを変更すればその部分に形成される電荷の量を任意に制御することができる。
【００４０】
また、ＰＤＰの高効率化を達成するために、放電ガスのＸｅ分圧を上昇させる方法が一般的に知られている。しかし、Ｘｅ分圧を上昇させると、放電電圧が上昇する問題が生じると共に、紫外線の発生量が多くなり、容易に輝度飽和を起こす問題が生じる。そのために、誘電体層の膜厚を厚くし誘電体層の容量を小さくし、一回のパルスで形成される電荷を低下させる方法が知られているが、この場合は誘電体層の膜厚の増加に伴い誘電体層自体の透過率が低下するため、効率が低下するという問題が生じる。また、単に膜厚を増加させると放電電圧がさらに増加する問題が生じる。
【００４１】
しかしながら本発明によれば、放電空間にＸｅと、Ｎｅおよび／またはＨｅとの混合ガスである放電ガスを封入するとともに、Ｘｅ分圧を５〜３０％としたＰＤＰにおいて、凹部２７ａの形状により電流を制御することで、高Ｘｅ分圧で発生する輝度飽和を防止することが可能となる。すなわち、各発光画素領域において最適なサイズの凹部２７ａを形成することで、放電領域を制限することにより、放電電流を制御することができる。また、凹部２７ａの形状またはサイズを変えることにより任意に流れる電流量を制限することができる。さらに、本実施の形態によれば、上記電流制御を誘電体層２７のみで行うため、回路や、駆動方法を変えることなく高Ｘｅ分圧を用いることが可能となる。
【００４２】
ここで、凹部２７ａの形状としては図３に示すような長方形に限るものではなく、その幅が、放電電極２５ａが放電ギャップ２４を介して対向する部分の幅よりも広いものであれば、その形状は問わない。
【００４３】
図８に、凹部２７ａの他の形状の一例を示す。図８（ａ）には、凹部２７ａの角部が丸みを持ったものを示している。また図８（ｂ）には、凹部２７ａの形状として台形形状であるものを示している。また図８（ｃ）には、台形形状で角部が丸みを持った、卵型や樽型の形状を含む形状を示している。
【００４４】
また、凹部２７ａは、一方の表示電極２６である走査電極上に位置する部分、すなわち重なる部分の面積を大きくすることで、アドレス操作時において前面パネル２１の表示電極２６の一方である走査電極とアドレス電極３０との間で放電が発生しやすくなり、パネルの駆動マージンを広く取ることが可能となる。
【００４５】
このような電極構成の一例を、図９に示す。図９（ａ）は凹部２７ａと表示電極２６の一方である走査電極とが重なる面積を大きくするために、放電ギャップ２４に対して、表示電極２６の一方である走査電極側に片寄らせて凹部２７ａを形成した例を示し、図９（ｂ）は、上述した効果を増すために、凹部２７ａは、その一部が走査電極のバス電極２５ｂ上に位置するように形成した構成を示している。なお、これらの構成においても、凹部２７ａの形状は図８に示すような形状とすることができる。
【００４６】
ここで、図９（ｂ）に示す構成の場合、凹部２７ａでの誘電体層２７の厚みがバス電極２５ｂの部分で薄くなるため、この部分での誘電体層２７の絶縁耐圧の信頼性が低下する恐れがある。そこで、凹部２７ａの、バス電極２５ｂ上に位置する部分は、できる限り小さく形成することが好ましい。このような形状の凹部２７ａとして、凹部２７ａが、その一部が突出する突出部２７ｂを有することで、バス電極２５ｂ上に位置するようにした形状を挙げることができる。具体的には、例えば図１０（ａ）には、曲面形状の突出部２７ｂを持つ例を示し、また図１０（ｂ）には、尖った形状の突出部２７ｂを持つ例を示す。
【００４７】
なお以上の説明では、凹部２７ａの形状は多角形でも、円、楕円でも良く、上記目的を達成すれば、上記説明に限るものではない。
【００４８】
（実施の形態２）
本発明の実施の形態２によるプラズマディスプレイ装置について、図面を用いて説明する。本発明の実施の形態１の構造とは、凹部の構成が異なるものであり、以下では、その異なる部分を中心に詳細に述べる。なお、実施の形態１に示す部分と同一部分については同一番号を付して説明する。
【００４９】
図１１は本発明の実施の形態２によるプラズマディスプレイ装置の前面パネルの一部の斜視図を示しており、図において、表示電極２６を覆うように、誘電体層２７の放電空間側の表面には、放電セル毎に２つの凹部２７ｃ、２７ｄが形成されている。また、図１２には、その凹部２７ｃ、２７ｄと表示電極２６および隔壁３２との位置関係を示しており、この図１２に示すように、凹部２７ｃ、２７ｄは隔壁３２よりも内側に形成されている。
【００５０】
そして、表示電極２６は、表示ラインＡ毎に放電ギャップ２４を介して対向するように配列して形成した透明電極からなる放電電極２５ａと、この放電電極２５ａに給電するためのバス電極２５ｂとから構成され、表示電極２６の放電電極２５ａは、前記凹部２７ｃ、２７ｄの底面において放電ギャップ２４を介して対向するようにバス電極２５ｂから垂直に放電ギャップ２４に向けて突出させて形成している。この放電電極２５ａは、凹部２７ｃ、２７ｄの底面において放電ギャップ２４を介して対向する部分の幅が凹部２７ｃ、２７ｄの幅と同等、または凹部２７ｃ、２７ｄの幅よりも狭くなるように構成されている。なお、図１２に示す例は、放電電極２５ａの放電ギャップ２４を介して対向する部分の幅を、凹部２７ｃ、２７ｄの幅よりも狭く構成したものである。
【００５１】
図１３に、実施の形態２によるプラズマディスプレイ装置において、誘電体層２７に２つの凹部２７ｃ、２７ｄを形成した場合の効果を説明するための図を示す。図１３中、実線Ａは放電を示している。
【００５２】
図１３において、２つの凹部２７ｃ、２７ｄの底面の誘電体層２７の膜厚が低下するため、その部分の容量Ｃが大きくなる。そのため、放電のための電荷は凹部２７ｃ、２７ｄの底面に集中的に形成されることとなり、放電領域を制限することができる。
【００５３】
さらに、図１３のように放電ギャップ２４を挟んで凹部２７ｃ、２７ｄを２個形成した構成であり、放電Ａは、放電ギャップ２４を挟んで凹部２７ｃの底面と２７ｄの底面との間で発生することとなり、このことにより放電距離が伸び、これにより、放電ガスが励起される確率が増加し、放電の制御と高効率を両立することができる。これは、放電ガス中のＸｅの分圧を高めとした場合に、より効果的となる。
【００５４】
ここで、放電電極２５ａの形状は、図１４に示すような、放電電極２５ａが、凹部２７ｃ、２７ｄの底面において放電ギャップ２４を介して対向する部分が複数に分割された形状とすることや、図１５に示すように、放電電極２５ａを中空形状とすると、実施の形態１と同様の効果を得ることができる。
【００５５】
また、凹部２７ｃ、２７ｄの形状は、図１２に示す長方形に限るものではなく、放電電極２５ａが放電ギャップ２４を介して対向する部分の幅よりも広いものであればその形状は問わない。図１６に、凹部２７ｃ、２７ｄの他の形状の一例を示す。図１６（ａ）には、凹部２７ｃ、２７ｄのそれぞれの角部が丸みを持ったものを示している。また図１６（ｂ）には、凹部２７ｃ、２７ｄの大きさが異なるものを示している。
【００５６】
また、凹部２７ｃ、２７ｄのいずれか一方は、一方の表示電極２６である走査電極上に位置する部分、すなわち重なる部分の面積を大きくすることで、アドレス操作時において前面パネル２１の表示電極２６の一方である走査電極とアドレス電極３０との間で放電が発生しやすくなり、パネルの駆動マージンを広く取ることが可能となる。
【００５７】
このような電極構成の一例を図１７に示す。図１７（ａ）には、凹部２７ｃを凹部２７ｄより大きく形成することで、重なる面積を大きくした構成を示す。また、図１７（ｂ）には、凹部２７ｃ、２７ｄの大きさは同じであるが、放電ギャップ２４に対して走査電極側に片寄らせて形成することで、凹部２７ｃが放電電極２５ａと重なる面積を、凹部２７ｄが放電電極２５ａと重なる面積より大きくした構成を示す。また、図１７（ｃ）には、上述した効果を増すために、凹部２７ｃは、その一部が走査電極のバス電極２５ｂ上に位置するように形成した構成を示している。なお、これらの構成においても、凹部２７ｃ、２７ｄの形状は図１６に示すような形状とすることができる。
【００５８】
ここで、図１７（ｃ）に示すような構成の場合、凹部２７ｃでの誘電体層２７の厚みがバス電極２５ｂの部分で薄くなるため、この部分での誘電体層２７の絶縁耐圧の信頼性が低下する恐れがある。そこで、凹部２７ｃの、バス電極２５ｂ上に位置する部分は、できる限り小さく形成することが好ましい。このような形状の凹部２７ｃとして、凹部２７ｃが、その一部が突出する突出部２７ｂを有することで、バス電極２５ｂ上に位置するようにしたものを挙げることができる。具体的には、例えば図１８（ａ）には、曲面形状の突出部２７ｂを持つ例を示し、また図１８（ｂ）には、尖った形状の突出部２７ｂを持つ例を示す。
【００５９】
また、図１９に、凹部２７ｃ、２７ｄの他の形態を示す。図１９（ａ）に示す例では、前記放電セル毎の凹部２７ｃ、２７ｄを結ぶように少なくとも一つの溝２７ｅを形成したもので、この場合は、放電開始電圧の低下と放電距離の増加の両立が可能となる。図１９（ｂ）に示す例では、２つの凹部２７ｃ、２７ｄをバス電極２５ｂに垂直となるように並べて形成したもので、この場合は、放電開始電圧を低下させることができる。さらに、図１９（ｃ）に示す例では、図１９（ｂ）に示すようにバス電極２５ｂに垂直となるように並べて形成した２つの凹部２７ｃ、２７ｄを結ぶように少なくとも一つの溝２７ｅを形成したものである。
【００６０】
なお、以上の説明では、２つの凹部２７ｃ、２７ｄを形成した例を説明したが、２つ以上形成してもよく、また凹部の形状は多角形でも、円、楕円でも良く、上記目的を達成すれば、上記説明に限るものではない。
【００６１】
【発明の効果】
以上述べてきた様に本発明のプラズマディスプレイ装置によれば、放電を制御することができると共に、アドレス期間の駆動を安定させることができ、また、高Ｘｅ分圧による効率の向上を有効に活用することができ、パネルの効率の向上と画質の向上を達成することができる。
【図面の簡単な説明】
【図１】本発明の実施の形態１によるプラズマディスプレイ装置の概略構成を示す断面斜視図
【図２】本発明の実施の形態１によるプラズマディスプレイ装置の前面パネルの一部を示す斜視図
【図３】同装置の要部の配置関係を示す平面図
【図４】同じく、同装置の要部の配置関係を示す平面図
【図５】同じく、同装置の要部の配置関係を示す平面図
【図６】本発明の実施の形態１によるプラズマディスプレイ装置の放電状態を説明するための前面パネルの概略構成の断面図
【図７】従来のプラズマディスプレイ装置の放電状態を説明するための前面パネルの概略構成の断面図
【図８】本発明によるプラズマディスプレイ装置の要部の配置関係を示す平面図
【図９】同じく、同装置の要部の配置関係を示す平面図
【図１０】同じく、同装置の要部の配置関係を示す平面図
【図１１】本発明の実施の形態２によるプラズマディスプレイ装置の前面パネルの一部を示す斜視図
【図１２】同装置の要部の配置関係を示す平面図
【図１３】本発明の実施の形態２によるプラズマディスプレイ装置の放電状態を説明するための前面パネルの概略構成の断面図
【図１４】同装置の要部の配置関係を示す平面図
【図１５】同じく、同装置の要部の配置関係を示す平面図
【図１６】同じく、同装置の要部の配置関係を示す平面図
【図１７】同じく、同装置の要部の配置関係を示す平面図
【図１８】同じく、同装置の要部の配置関係を示す平面図
【図１９】本発明の実施の形態２によるプラズマディスプレイ装置の、凹部の形状を示すための前面パネルの一部斜視図
【図２０】従来のプラズマディスプレイ装置の概略構成を示す断面斜視図
【図２１】同装置の要部の配置関係を示す平面図
【符号の説明】
２１　前面パネル
２２　背面パネル
２３、２９　基板
２４　放電ギャップ
２５ａ　放電電極
２５ｂ　バス電極
２６　表示電極
２７　誘電体層
２７ａ、２７ｃ、２７ｄ　凹部
２７ｂ　突出部
２７ｅ　溝
３２　隔壁
【図１】
2004006307.tif 000003
【図２】
2004006307.tif 000004
【図３】
2004006307.tif 000005
【図４】
2004006307.tif 000006
【図５】
2004006307.tif 000007
【図６】
2004006307.tif 000008
【図７】
2004006307.tif 000009
【図８】
2004006307.tif 000010
【図９】
2004006307.tif 000011
【図１０】
2004006307.tif 000012
【図１１】
2004006307.tif 000013
【図１２】
2004006307.tif 000014
【図１３】
2004006307.tif 000015
【図１４】
2004006307.tif 000016
【図１５】
2004006307.tif 000017
【図１６】
2004006307.tif 000018
【図１７】
2004006307.tif 000019
【図１８】
2004006307.tif 000020
【図１９】
2004006307.tif 000021
【図２０】
2004006307.tif 000022
【図２１】
2004006307.tif 000023